【手続補正書】
【提出日】平成17年11月16日(2005.11.16)
【手続補正１】
【補正対象書類名】明細書
【補正対象項目名】発明の名称
【補正方法】変更
【補正の内容】
【発明の名称】遊技機管理装置および台コントローラ
【手続補正２】
【補正対象書類名】明細書
【補正対象項目名】特許請求の範囲
【補正方法】変更
【補正の内容】
【特許請求の範囲】
【請求項１】
遊技場に配置されたパチンコ遊技機であって遊技盤に複数設けた入賞口別に遊技球の入賞を示す入賞球検知信号を出力するものからの情報を収集し管理する遊技機管理装置において、
前記パチンコ遊技機が出力する前記入賞球検知信号を入力するための入賞球検知信号入力手段と、
前記入賞球検知信号入力手段を通じて入力された前記入賞球検知信号に基づいて入賞口別に遊技球の入賞球数を集計する入賞球集計手段と、
１つの遊技球が入賞したことによって遊技者に払い出す賞品球数を入賞口別に設定登録するための賞品球数設定手段と、
前記入賞球集計手段が集計している入賞口別の入賞球数と前記賞品球数設定手段に記憶されている入賞口別の賞品球数とに基づいて賞品球の払出球数を入賞口別に求める払出球数演算手段と
を有することを特徴とする遊技機管理装置。
【請求項２】
遊技状態検知信号入力手段をさらに有し、
前記パチンコ遊技機は、当該遊技機の遊技状態を示す遊技状態検知信号を出力するものであり、
前記遊技状態検知信号入力手段は、前記パチンコ遊技機が出力する前記遊技状態検知信号を入力するものであり、
前記入賞球集計手段は、前記遊技状態検知信号入力手段を通じて入力された前記遊技状態検知信号と前記入賞球検知信号入力手段を通じて入力された前記入賞球検知信号とに基づいて、遊技状態別かつ入賞口別に遊技球の入賞球数を集計し、
前記払出球数演算手段は、前記入賞球集計手段が集計している遊技状態別かつ入賞口別の入賞球数と前記賞品球数設定手段に記憶されている入賞口別の賞品球数とに基づいて賞品球の払出球数を遊技状態別かつ入賞口別に求める
ことを特徴とする請求項１に記載の遊技機管理装置。
【請求項３】
前記パチンコ遊技機の遊技状態が、遊技者に所定の遊技価値を付与可能な特定遊技状態と、前記特定遊技状態となるための所定条件が成立しやすい特別遊技状態と、前記特別遊技状態に比較して前記所定条件が成立しにくい通常遊技状態とに変化可能であり、
前記パチンコ遊技機は、前記特定遊技状態と前記特別遊技状態と前記通常遊技状態の中のいずれの遊技状態にあるかを示す遊技状態検知信号を出力するものであり、
前記入賞球集計手段は、入力された前記入賞球検知信号と前記遊技状態検知信号とに基づいて、遊技状態別かつ入賞口別に遊技球の入賞球数を集計するものであり、
前記払出球数演算手段は、前記入賞球集計手段が集計している遊技状態別かつ入賞口別の入賞球数と前記賞品球数設定手段に記憶されている入賞口別の賞品球数とに基づいて賞品球の払出球数を遊技状態別かつ入賞口別に求めるものである
ことを特徴とする請求項２に記載の遊技機管理装置。
【請求項４】
前記払出球数演算手段が求めた各払出球数を記憶する払出球数記憶手段をさらに有することを特徴とする請求項１、２または３に記載の遊技機管理装置。
【請求項５】
複数のパチンコ遊技機を管理対象とし、各パチンコ遊技機別に払出球数を管理することを特徴とする請求項１、２、３または４に記載の遊技機管理装置。
【請求項６】
前記パチンコ遊技機は、入賞口別の入賞球検知信号に代えて、遊技球が入賞した際に払い出される賞品球数別の入賞球検知信号を出力するものであり、
前記賞品球数別の入賞球検知信号に基づいて賞品球の払出球数の管理を入賞口別に代えて賞品球数別に行うことを特徴とする請求項１、２、３、４または５に記載の遊技機管理装置。
【請求項７】
遊技場に配置されたパチンコ遊技機であって遊技盤に複数設けた入賞口別に遊技球の入賞を示す入賞球検知信号を出力するものからの情報を収集する台コントローラにおいて、
前記パチンコ遊技機が出力する前記入力検知信号を入力するための入賞球検知信号入力手段と、
１つの遊技球が入賞したことによって遊技者に払い出す賞品球数を入賞口別に設定記憶する賞品球数設定手段と、
前記入賞球検知手段が出力する入賞球検知信号に基づいて遊技球の入賞球数を入賞口別に計数する入賞球集計手段と、
前記入賞球集計手段が計数した入賞口別の入賞球数と前記賞品球数設定手段に記憶されている入賞口別の賞品球数とに基づいて賞品球の払出球数を入賞口別に求める払出球数演算手段と
を有することを特徴とする台コントローラ。
【請求項８】
前記パチンコ遊技機は、遊技状態を示す遊技状態検知信号を出力し、
前記入賞球集計手段は、前記入賞球検知信号と前記遊技状態検知信号とに基づいて前記入賞球数を遊技状態別かつ入賞口別に計数し、
前記払出球数演算手段は、前記入賞球集計手段で計数した遊技状態別かつ入賞口別の入賞球数と前記賞品球数設定手段に記憶されている入賞口別の賞品球数とに基づいて、賞品球の払出球数を遊技状態別かつ入賞口別に求める
ことを特徴とする請求項７に記載の台コントローラ。
【請求項９】
前記パチンコ遊技機の遊技状態が、遊技者に所定の遊技価値を付与可能な特定遊技状態と、前記特定遊技状態となるための所定条件が成立しやすい特別遊技状態と、前記特別遊技状態に比較して前記所定条件が成立しにくい通常遊技状態とに変化可能であり、
前記パチンコ遊技機は、前記特定遊技状態と前記特別遊技状態と前記通常遊技状態の中のいずれの遊技状態に前記パチンコ遊技機があるかを示す遊技状態検知信号を出力し、
前記入賞球集計手段は、入力された前記入賞球検知信号と前記遊技状態検知信号とに基づいて、遊技状態別かつ入賞口別に遊技球の入賞球数を集計するものであり、
前記払出球数演算手段は、前記入賞球集計手段が集計している遊技状態別かつ入賞口別の入賞球数と前記賞品球数設定手段に記憶されている入賞口別の賞品球数とに基づいて賞品球の払出球数を遊技状態別かつ入賞口別に求めるものである
ことを特徴とする請求項８に記載の台コントローラ。
【手続補正３】
【補正対象書類名】明細書
【補正対象項目名】０００１
【補正方法】変更
【補正の内容】
【０００１】
【発明の属する技術分野】
本発明は、遊技場に配置されたパチンコ遊技機であって遊技盤に複数設けた入賞口別に遊技球の入賞を示す入賞球検知信号を出力するものからの情報を収集し管理する遊技機管理装置および台コントローラに関する。
【手続補正４】
【補正対象書類名】明細書
【補正対象項目名】０００７
【補正方法】変更
【補正の内容】
【０００７】
本発明は、以上のような従来技術が有する問題点に着目してなされたもので、賞品球の払出球数を詳細かつ正確に計数し把握することのできる遊技機管理装置および台コントローラを提供することを目的としている。
【手続補正５】
【補正対象書類名】明細書
【補正対象項目名】００１４
【補正方法】変更
【補正の内容】
【００１４】
［７］遊技場に配置されたパチンコ遊技機（３００）であって遊技盤に複数設けた入賞口別に遊技球の入賞を示す入賞球検知信号を出力するものからの情報を収集する台コントローラ（２００）において、
前記パチンコ遊技機（３００）が出力する前記入力検知信号を入力するための入賞球検知信号入力手段と、
１つの遊技球が入賞したことによって遊技者に払い出す賞品球数を入賞口別に設定記憶する賞品球数設定手段と、
前記入賞球検知手段が出力する入賞球検知信号に基づいて遊技球の入賞球数を入賞口別に計数する入賞球集計手段と、
前記入賞球集計手段が計数した入賞口別の入賞球数と前記賞品球数設定手段に記憶されている入賞口別の賞品球数とに基づいて賞品球の払出球数を入賞口別に求める払出球数演算手段と
を有することを特徴とする台コントローラ（２００）。
【手続補正６】
【補正対象書類名】明細書
【補正対象項目名】００１５
【補正方法】変更
【補正の内容】
【００１５】
［８］前記パチンコ遊技機（３００）は、遊技状態を示す遊技状態検知信号を出力し、
前記入賞球集計手段は、前記入賞球検知信号と前記遊技状態検知信号とに基づいて前記入賞球数を遊技状態別かつ入賞口別に計数し、
前記払出球数演算手段は、前記入賞球集計手段で計数した遊技状態別かつ入賞口別の入賞球数と前記賞品球数設定手段に記憶されている入賞口別の賞品球数とに基づいて、賞品球の払出球数を遊技状態別かつ入賞口別に求める
ことを特徴とする［７］に記載の台コントローラ（２００）。
【手続補正７】
【補正対象書類名】明細書
【補正対象項目名】００１６
【補正方法】変更
【補正の内容】
【００１６】
［９］前記パチンコ遊技機（３００）の遊技状態が、遊技者に所定の遊技価値を付与可能な特定遊技状態と、前記特定遊技状態となるための所定条件が成立しやすい特別遊技状態と、前記特別遊技状態に比較して前記所定条件が成立しにくい通常遊技状態とに変化可能であり、
前記パチンコ遊技機（３００）は、前記特定遊技状態と前記特別遊技状態と前記通常遊技状態の中のいずれの遊技状態にあるかを示す遊技状態検知信号を出力し、
前記入賞球集計手段は、入力された前記入賞球検知信号と前記遊技状態検知信号とに基づいて、遊技状態別かつ入賞口別に遊技球の入賞球数を集計するものであり、
前記払出球数演算手段は、前記入賞球集計手段が集計している遊技状態別かつ入賞口別の入賞球数と前記賞品球数設定手段に記憶されている入賞口別の賞品球数とに基づいて賞品球の払出球数を遊技状態別かつ入賞口別に求めるものである
ことを特徴とする［８］に記載の台コントローラ（２００）。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２８
【補正方法】変更
【補正の内容】
【００２８】
なお、遊技場管理装置とは別の装置として台コントローラを構成してもよい。また、上述した方法で入賞口別あるいは遊技状態別かつ入賞口別に払出球数を計数するものであればその装置は問わない。
【手続補正１２】
【補正対象書類名】明細書
【補正対象項目名】００６７
【補正方法】変更
【補正の内容】
【００６７】
以上説明した実施の形態では、遊技機管理装置において機種別（台番号別）かつ入賞口別に賞品球数を登録し、台番号別に、入賞口別の入賞球数を集計し、各集計値と対応する賞品球数とを掛け算して台別かつ入賞口別の払出球数を求めるようにしたが、この機能を遊技場管理装置とは別の装置として台コントローラを構成してもよい。また、上述した方法で入賞口別あるいは遊技状態別かつ入賞口別に払出球数を計数するものであればその装置は問わない。